(57)【要約】【課題】  ゴルフクラブの長さを容易に、かつ確実に調整することを可能にする。【解決手段】  ネジ等を用いてシャフトとヘッドを取り外し可能に結合する手段をとり、該結合の為にシャフトの先端に固定されるスリーブとヘッドのホーゼルとの間にリング部材を介在させ、このリング部材を長さの異なるものに交換するか、スリーブの表面に設けた凸部をリング部材に当接させることで、シャフトのホーゼル孔への差込み深さを変更できるようにする。【選択図】図１０
2014121449.tif 000002
【特許請求の範囲】
【請求項１】
シャフト先端にスリーブ部材を装着し、これをヘッドのホーゼル孔へ差し込み、ヘッドとシャフトを取り外し可能に結合したゴルフクラブであって、
スリーブ部材は下端側にホーゼル孔に差込み可能なスリーブ本体部を有すると共に、上端側には前記スリーブ本体部より大きな径を有するスリーブ鍔部を有し、
ホーゼル部上端と前記鍔部の間にリング部材を挟み込むことによって長さを延長可能なゴルフクラブ。
【請求項２】
スリーブ部材とホーゼルの間の回転を止める手段が施されていることを特徴とする請求項１に記載ののゴルフクラブ。
【請求項３】
スリーブ本体部の表面にスリーブ本体部の上方より下方へとスリーブ本体部の側面の軸線と平行に延びる凸部を設け、
ホーゼル孔内側面には該凸部に対応する凹部をホーゼルの上端から下方に向けて設け、スリーブ部材がホーゼル孔に差し込まれた際、これら凸部と凹部が噛み合うことで回転止めが実現されることを特徴とする請求項２に記載のゴルフクラブ。
【請求項４】
シャフト先端にスリーブ部材を装着し、これをヘッドのホーゼル孔へ差し込み、ヘッドとシャフトを取り外し可能に結合したゴルフクラブであって、
スリーブ部材は下端側にホーゼル孔に差込み可能なスリーブ本体部を有すると共に、上端側には前記スリーブ本体部より大きな径を有する鍔部を有し、
該鍔部とホーゼル部上端の間には軸線を軸として回転可能にリング部材を配し、
スリーブ本体部の表面には、スリーブ本体部の上部よりスリーブ下端方向の途中までまっすぐ延びる第一の凸部が設けられ、更に第一の凸部からリング部材の幅以上の間隔を開けて第一の凸部と同一直線上に下端側へ延びる第二の凸部が設けられており、
リング部材とホーゼルの内側には前記第一及び第二の凸部に対応する凹部が設けられていることを特徴とするゴルフクラブ。
【発明の詳細な説明】
【技術分野】
【０００１】
本発明はゴルフクラブに関するものであり、より詳しくはゴルフクラブの長さを容易に調整可能にする構造に関するものである。
【背景技術】
【０００２】
昨今、ゴルフクラブは、ヘッドとシャフトをネジ等で取り外し可能に結合したものが増えており、結合する際にヘッドとシャフトの取り付け方を変えることによってロフト角やフェース角あるいはライ角等を調整可能としたものも多くなってきた（例えば特許文献１や２）。
【先行技術文献】
【特許文献】
【０００３】
【特許文献１】特開2011-62523号公報
【特許文献２】特表2005-533626号公報
【発明の概要】
【発明が解決しようとする課題】
【０００４】
しかしながら、ゴルフクラブにおける重要な仕様の一つであるクラブ長さを調整するものは実用化されていない。
【０００５】
そこで本願発明は、容易に長さの調整が可能であって、実用的な技術を提供するものである。
【課題を解決するための手段】
【０００６】
本願に係る発明は以下の通りである。
【０００７】
Ａ１、シャフト先端にスリーブ部材を装着し、これをヘッドのホーゼル孔へ差し込み、ヘッドとシャフトを取り外し可能に結合したゴルフクラブであって、
スリーブ部材は下端側にホーゼル孔に差込み可能なスリーブ本体部を有すると共に、上端側には前記スリーブ本体部より大きな径を有するスリーブ鍔部を有し、
ホーゼル部上端と前記鍔部の間にリング部材を挟み込むことによって長さを延長可能なゴルフクラブ。
【０００８】
Ａ２、スリーブ部材とホーゼルの間には回転止め手段が施されていることを特徴とする前記Ａ１に記載ののゴルフクラブ。
【０００９】
Ａ３、スリーブ本体部の表面にスリーブ本体部の上方より下方へとスリーブ本体部の側面の軸線と平行に延びる凸部を設け、
ホーゼル孔内側面には該凸部に対応する凹部をホーゼルの上端から下方に向けて設け、スリーブ部材がホーゼル孔に差し込まれた際、これら凸部と凹部が噛み合うことで回転止めが実現されることを特徴とする前記Ａ２に記載のゴルフクラブ。
【００１０】
Ｂ、シャフト先端にスリーブ部材を装着し、これをヘッドのホーゼル孔へ差し込み、ヘッドとシャフトを取り外し可能に結合したゴルフクラブであって、
スリーブ部材は下端側にホーゼル孔に差込み可能なスリーブ本体部を有すると共に、上端側には前記スリーブ本体部より大きな径を有する鍔部を有し、
該鍔部とホーゼル部上端の間には軸線を軸として回転可能にリング部材を配し、
スリーブ本体部の表面には、スリーブ本体部の上部よりスリーブ下端方向の途中までまっすぐ延びる第一の凸部が設けられ、更に第一の凸部からリング部材の幅以上の間隔を開けて第一の凸部と同一直線上に下端側へ延びる第二の凸部が設けられており、
リング部材とホーゼルの内側には前記第一及び第二の凸部に対応する凹部が設けられていることを特徴とするゴルフクラブ。
【発明の効果】
【００１１】
本願発明によれば、容易に長さの調整が可能であって、強度やコストの面でも実用的なゴルフクラブが実現できる。
【図面の簡単な説明】
【００１２】
【図１】実施例１を示す図
【図２】図１に示す例の結合部の断面図
【図３】実施例２を示す図
【図４】実施例３を示す図
【図５】図４に示す例のホーゼル、図７に示す例のホーゼル及びリング部材の断面を表す図
【図６】図４に示す例の結合部の断面図
【図７】実施例４を示す図
【図８】図７に示す例において、ゴルフクラブを短くした状態の結合部の断面図
【図９】図７に示す例において、ゴルフクラブを長くした状態の結合部の断面図
【図１０】図７に示す例において、スリーブ部材をリング部材及びホーゼルに差し込む途中を示す図
【図１１】図７に示す例において、ゴルフクラブを長くして結合しようとする際の状態を示す図
【図１２】図７に示す例において、ゴルフクラブを長くして結合しようとする際の状態を示す図
【図１３】図７に示す例において、ゴルフクラブを短くした状態を示す図
【発明を実施するための形態】
【実施例１】
【００１３】
実施例１は、課題を解決するための手段の欄のＡ１項に記載した発明の実施例であると共に、本願発明の最も基本的構造を示すものである。
【００１４】
図１は、本願発明の実施例１であると共に、本願発明の基本的構造を示すものである。即ち、ヘッド１にはシャフト２を取り付けるホーゼル１１が設けられており、シャフト２は、その先端にスリーブ部材３を接着などの方法により固定しておく。そして、スリーブ部材３のスリーブ本体部３１をホーゼル１１のホーゼル孔１２に差込み、ネジ５により固定するのであるが、ホーゼル１１の上にはリング部材４を配し、ホーゼルの上端とスリーブ鍔部３２でリング部材を挟み込む様にするのである。
【００１５】
このようにして結合された状態の結合部分の断面を図２に示す。図２から分かるとおり、スリーブ部材３の先端がホーゼル孔１２の底から離間している。即ち、一旦結合を外し、リング部材４を取り去って再度結合すれば、リング部材４の幅の分だけゴルフクラブを短くすることが可能であり、より幅の大きいリング部材を装着すれば、それだけゴルフクラブを長くすることが可能である。
【００１６】
なお、結合方法として、本実施例はホーゼル孔１２の底方向からネジ５にて固定する方法を示したが、結合方法はこれに限るものではなく、そのことは実施例１のみならず、他の実施例、本願発明全てにおいて共通である。
【００１７】
また、図１乃至２では、スリーブ本体部３１の側面の軸線０がシャフト２の中心軸と一致しているが、これらに角度を設けるとロフト角、ライ角、フェース角の調整機能を持たせることができる。具体的には、スリーブ３の内部に設けるシャフト孔の中心軸を、スリーブ本体部３１の側面の軸線０に対して角度を持たせる、即ち偏芯させるだけでよく、ホーゼル孔１２にスリーブ部材３を介して差し込まれたシャフト２を回転させることで前記ロフト角が変化するようになる。同様な角度調整機構は多数知られているので、それらを採用することも好適である。このような角度調整機能を持たせることは本実施例のみならず、他の実施例、本願発明全てにおいて好適である。
【実施例２】
【００１８】
実施例２は、課題を解決するための手段の欄のＡ２項に記載した発明の実施例である。
【００１９】
実施例１の構造は、円筒形状を有するスリーブ本体部３１を、これも円筒形状と有するホーゼル孔１２に差し込んでいるので、軸線０を軸としてヘッド１とシャフト２が相対回転することを妨げるのは、ネジ５による締め付けに起因する摩擦のみである。このため、ゴルフボールを打撃した際に、前記相対回転が起きてしまう可能性もある。
【００２０】
そこで、スリーブ部材３とホーゼル１１との間に回転止めを設けたのが本実施例である。図３から明らかなとおり、スリーブ３には、スリーブ鍔部３２から下方に延びる凸部を設け、これがリング部材４の上端に設けられた凹部と噛み合って、スリーブ部材３とリング部材４の相対回転を防いでいる。更に、リング部材３の下端には下方に伸びる凸部を設け、これがホーゼル１１の上端に設けた凹部を噛み合って、リング部材４とホーゼル１１との相対回転を防いでいる。
【００２１】
以上の通り、リング部材４を介在してスリーブ部材３とホーゼル１１は回転が防止されることとなるが、シャフト２とスリーブ部材は接着等により固定されており、ホーゼル１１もヘッド１と一体化されているので、シャフト２とヘッド１との相対回転が防止される。
【実施例３】
【００２２】
実施例３は、課題を解決するための手段の欄のＡ３項に記載した発明の実施例であって、実施例２同様にシャフト２とヘッド１との相対回転を防止したものである。
【００２３】
図４に示すように、本実施例のスリーブ部材３には、スリーブ本体部３１の表面に凸部３３が設けられている。凸部３３は軸線０に平行であって、全長に渡って同じ高さ、同じ幅である。一方、ホーゼル孔１２の内側面には、図５に示すように、前記凸部３３に対応する凹部１３が設けられている。この凸部３３と凹部１３に嵌るため、スリーブ部材３とホーゼル１１の相対回転が防止される。図６に結合した状態の断面を示す。
【００２４】
図４には、凸部３３と凹部１３が均等に４つ配されている例を示したが、１つ以上あれば特に個数は規定されない。但し、実施例１に記載したような角度調整機構を持たせる場合、凸部３３と凹部１３の個数によって調整できる段階の数が決まってしまうので、適宜必要に応じて設計する必要がある。このことは、後述する実施例４においても同様である。
【００２５】
ホーゼル孔１２内に設けられる凹部１３は、ホーゼルの上端から、スリーブ部材３を最も深く差し込んだ際に凸部３３が到達する位置まで連続して設ける必要があるが、凸部３３はスリーブ本体部３１の一部に設けるだけでも良く、図４のようにスリーブ本体部３１のほぼ全長に渡っている必要は無い。但し、スリーブ部材３を最も深く差し込んだ場合から最も浅い場合まで、いずれの場合にも凸部３３が凹部１３に噛み合って、回転を止められれば良い。
【００２６】
なお、リング部材４にはホーゼルの内側面に設けたのと同様な凹ぶを設ける必要は無い。リング部材４は、スリーブ鍔部３２とホーゼル１１に挟まれて強く押し付けられて摩擦により回転が防止されるものであって、ボールを打撃しても特に力の加わる部分でもないからである。
【実施例４】
【００２７】
実施例４は、課題を解決するための手段の欄のＢ項に記載した発明の実施例である。本願発明は、スリーブ本体部３１をホーゼル孔１２に差し込む深さを変えることでゴルフクラブ長さを調整するものであり、実施例１乃至３は間に挟むリング部材４の有無や長さでこれを実現するものであった。しかし、実施例４はリング部材４を取り去ったり、交換することなく、クラブ長さの調整を実現するものである。
【００２８】
図７に示すとおり、本実施例も実施例３と同様、スリーブ本体部３１に凸部が設けられている。しかし、実施例３とは違ってスリーブ本体部３１の上端から下方へ途中まで延びる第一の凸部３３１と、これから下方に離れた位置から更に下方へ延びる第二の凸部３３２に別れ、これらの間には離間部３３３が存在している。これら第一の凸部３３１と第二の凸部３３２は同一直線状に設けられている。
【００２９】
ホーゼル１１には、実施例３と同様にホーゼル穴の内側面に、第一、第二の凸部に対応した凹部１３が設けられる点は実施例３と同じであるが、リング部材にも同じ断面形状を有する凹部４３が必要である。これら凹部の断面形状は図５を参照されたい。
【００３０】
図１０のようにスリーブ本体部３１を差し込み、図１３のように一番奥まで差し込んだ状態の断面を図８に示す。これは図６と比べれば分かるとおり、実施例３となんら変わるところはない。
【００３１】
図１１のように離間部３３３が丁度リング部材４の位置にきたとき、リング部材４を軸線０の周りに回転させ、図１２のように凹部４３を第一の凸部３３１に対応した位置からずらす。これにより、第一の凸部３３１の下端面がリング部材４の上端面にあたって、スリーブ本体部をこれ以上差し込むことが出来なくなる。この状態でネジ５（図１０乃至１３には記載していない。図７及び図９参照）により、スリーブ部材３をヘッド１に固定することにより、第一の凸部３３１の長さ分だけゴルフクラブを長くすることができる。この状態の断面を図９に示す。
【００３２】
スリーブ本体部３１に設けた第一の凸部３３１はリング部材４の上端面に当接して長さ調節を実現することを目的とし、第二の凸部３３２はホーゼル孔１２内の凹部に嵌って回転を防止することが目的なので、どちらとも実施例４の様に上下方向に長い必要も無い。
【００３３】
本例では、スリーブ本体部３１に設けた凸部を第一３３１、第二３３２の二つとし、離間部３３２は一つとしたので、２段階での長さ調節となったら、更に凸部の分割を増やし、離間部を増やせば調節の段階を増やすことが可能である。その場合でも最下段の凸部は回転止めのみを目的としており、その他の凸は長さ調節を主な目的とするので、必要に応じて長さを設定することが出来る。
【００３４】
また本例の場合、リング部材４はスリーブ本体部３１上の凸部のストッパーとして働くものであるから、他の実施例とは異なって非常に幅の狭いものを選択することが可能であって、円盤状の輪郭を有する板状とすることも可能である。この場合、リング部材４の重量を軽減でき、ゴルフクラブ設計上の余裕をもたらすことができ、更にスリーブ鍔部３２の位置を低くできるので、ゴルフクラブの外観上も有利である。
【００３５】
逆に、リング部材４の幅をある程度大きなものにすることによって、これを取り外して更に短くできるようにすることも可能である。
【産業上の利用可能性】
【００３６】
本願発明は、ゴルフクラブにおいて利用される。
【符号の説明】
【００３７】
０、スリーブ本体部の側面、リング部材の孔、及びホーゼル孔の軸線
１、ヘッド
１１、ホーゼル
１２、ホーゼル孔
１３、ホーゼルの内側に設けられたスリーブ本体部の表面に設けられた凸部に対応した凹部
２、シャフト
３、スリーブ部材
３１、スリーブ本体部
３２、スリーブ鍔部
３３、スリーブ本体部の表面にスリーブ本体部上端よりスリーブ下端方向へと軸線と平行に延びる凸部
３３１、スリーブ本体部の表面にスリーブ本体部上端よりスリーブ下端方向の途中までまっすぐ延びる第一の凸部
３３２、第一の凸部からリング部材の幅に相当する間隔を開けて第一の凸部と同一直線上に下端側へ延びる第二の凸部
３３３、第一の凸部と第二の凸部の間に存在する離間部
４、リング部材
４３、リング部材の内側に設けられたスリーブ本体部の表面に設けられた凸部に対応した凹部
５、ネジ
【図１】
2014121449.tif 000003
【図２】
2014121449.tif 000004
【図３】
2014121449.tif 000005
【図４】
2014121449.tif 000006
【図５】
2014121449.tif 000007
【図６】
2014121449.tif 000008
【図７】
2014121449.tif 000009
【図８】
2014121449.tif 000010
【図９】
2014121449.tif 000011
【図１０】
2014121449.tif 000012
【図１１】
2014121449.tif 000013
【図１２】
2014121449.tif 000014
【図１３】
2014121449.tif 000015